(57)【要約】      （修正有）【課題】エスカレータにおける欄干パネル及び内デッキの据え付け作業の容易化を図る。【解決手段】欄干パネル５及び内デッキ３のパネル受け部材２への取り付け構造において、パネル受け部材２に溝２３ａを設け、内デッキ３に連結したブラケット６の下端部を、パネル受け部材２の溝２３ａに嵌め込むように構成し、かつ、欄干パネル５はパネル受け部材２に装着された押し込みボルトによりパネル受け部材２に固定されるように構成する。【選択図】図１
2007191255.tif 000002
【特許請求の範囲】
【請求項１】
欄干パネル及び内デッキをパネル受け部材で支持するエスカレータの欄干支持装置において、
前記パネル受け部材に溝を設け、前記内デッキに連結したブラケットの下端部を、パネル受け部材に設けた前記溝に嵌め込むように構成したことを特徴とするエスカレータの欄干支持装置。
【請求項２】
前記ブラケットは、前記溝に嵌め込まれたブラケットの下端部面を押し込み可能な支持ボルトを装着し、
前記欄干パネルは、前記パネル受け部材に装着された押し込みボルトによりパネル受け部材に固定されるように構成されたことを特徴とする請求項１に記載のエスカレータの欄干支持装置。
【請求項３】
前記ブラケットは、前記溝に嵌め込まれる部分の外側面を、他の外側面よりも粗く成形されたことを特徴とする請求項１または請求項２に記載のエスカレータの欄干支持装置。
【請求項４】
前記ブラケットは、前記溝に嵌め込まれる部分の外側面に、抜止用のかえしを形成したことを特徴とする請求項１または請求項２に記載のエスカレータの欄干支持装置。
【請求項５】
前記パネル受けに設けた溝の内側面は、他の面よりも粗く成形されたことを特徴とする請求項１または請求項２に記載のエスカレータの欄干支持装置。
【請求項６】
前記パネル受けに設けた溝の内側面に、前記ブラケット抜止用のかえしを形成したことを特徴とする請求項１または請求項２に記載のエスカレータの欄干支持装置。
【請求項７】
前記ブラケットは、前記溝に向けてねじ込まれるように前記パネル受け部材に設けられた押さえボルトにより、前記パネル受け部材に固定されるように構成されたことを特徴とする請求項１または請求項２に記載のエスカレータの欄干支持装置。
【発明の詳細な説明】
【技術分野】
【０００１】
本発明は、エスカレータの欄干パネルを支持するエスカレータの欄干支持装置の改良に関する。
【背景技術】
【０００２】
乗客運搬用のエスカレータは、建家にトラスが設けられ、そのトラスに乗客運搬用の踏み板列が上下方向に循環するように組み込まれ、その踏み板列の左右両側上部に欄干が設けられている。
【０００３】
欄干は、例えばガラス製の複数枚の欄干パネルが順次つなぎ合わされて形成され、各欄干パネルは、トラスに設けられた欄干支持装置のパネル受け部材を介して支持されるように構成されている。（例えば、特許文献１参照。）。
【０００４】
従来のエスカレータの欄干支持装置は、図８に要部断面を示したように構成されている。
【０００５】
すなわち、トラス１の主梁１ａの上方に、ボルト・ナット２ａによりパネル受け部材２が取り付けられ、パネル受け部材２は、内デッキ３及び外デッキ４との間に、欄干パネル５を傾斜方向に複数枚順次つなぎ合わせて支持するように構成されている。
【０００６】
パネル受け部材２は、基部２１の上に垂直にパネル当て部２２を立設し、このパネル当て部２２に間隔を隔てて対向するように垂直壁部２３を図示奥行き方向に２個並設している。
【０００７】
内デッキ３はビス３ａによりブラケット６が連結固定され、ブラケット６には押さえ板７がボルト６ａで固定されている。
【０００８】
パネル受け部材２の垂直壁部２３には、内側（図示左側）から外側（図示右側）に向かって複数本の押し込みボルト２４が螺挿され、押し込みボルト２４は押さえ板７を外側に向けて押し込むように構成されている。
【０００９】
従って、押し込みボルト２４に押し込まれた押さえ板７は、パネル当て部２２との間に、下端部に断面Ｕ字状の緩衝用のゴムパッキン５１を設けた欄干パネル５を挟み込んで支持する。
【００１０】
また、トラス１の主梁１ａには、アングル１ｂを介してスカートガードパネル８が取り付けられ、そのスカートガードパネル８の上端部には、内デッキ３の内側縁が嵌め込まれている。また、内デッキ３の外側縁と欄干パネル５の間及び欄干パネル５と外デッキ４の内側縁との間には、目地部材９，９が嵌め込まれている。なお符号１０はエスカレータの踏み板を示している。
【００１１】
上記のように、従来のエスカレータの欄干支持装置では、内デッキ３の外側縁に連結固定されたブラケット６には、ボルト６ａにより押さえ板７が取り付け固定される。
【特許文献１】特開２００１−２０６６６８号公報
【発明の開示】
【発明が解決しようとする課題】
【００１２】
上記のように、従来のエスカレータの欄干支持装置は、内デッキ３に連結固定されたブラケット６は、ボルト６ａにより欄干パネル５を挟持するための押さえ板７を取り付けるとともに、押し込みボルト２４に押し込まれた押さえ板７が、パネル当て部２２との間に、欄干パネル５の下端部を挟持するように構成されている。
【００１３】
そこで、作業員が、押し込みボルト２４を時計方向にねじ込み操作して欄干パネル５を挟持固定する際、ややもするとそのねじ込み回転方向に押さえ板７がゆがみ、欄干パネル５を持ち上げてしまうことがある。
【００１４】
また、従来のエスカレータの欄干支持装置では、内デッキ３はその外側縁で、ビス３ａ及びボルト６ａを介して順次ブラケット６と押さえ板７とが連結され、構成が複雑であるとともに、連結されたブラケット６及び押さえ板７の高さ位置を特定する有効な手段がないので、据え付け時に、内デッキ３の外側縁側の高さ位置がばらつきやすいという欠点があった。
【００１５】
そこで本発明は、簡単な構成で、作業員が、容易かつ適正に据え付けが可能なエスカレータの欄干支持装置を提供することを目的とする。
【課題を解決するための手段】
【００１６】
本発明は、欄干パネル及び内デッキをパネル受け部材で支持するエスカレータの欄干支持装置において、前記パネル受け部材に溝を設け、前記内デッキに連結したブラケットの下端部を、パネル受け部材に設けた前記溝に嵌め込むように構成したことを特徴とする。
【発明の効果】
【００１７】
本発明のエスカレータの欄干支持装置は、上記のように、内デッキに連結したブラケットが、パネル受け部材に設けられた溝に嵌め込まれるようにしたので、構成が簡単となるとともに、ブラケットの高さ位置、すなわち内デッキの外側縁の高さ位置は溝の深さ位置に規定させることができるので、作業員は容易かつ適切に内デッキを据え付けできる。
【発明を実施するための最良の形態】
【００１８】
以下、本発明によるエスカレータの欄干支持装置の一実施例を図１ないし図７を参照して詳細に説明する。なお、図８に示した従来のエスカレータの欄干支持装置の構成と同一構成には、同一符号を付して詳細な説明は省略する。
【００１９】
図１は、この実施例に係るエスカレータの欄干支持装置の要部断面図、図２は図１に示した構成の装置を上方からエスカレータの傾斜に沿って見た要部平面図、図３は図１において矢印Ｘ方向に見た要部左側面図である。
【００２０】
すなわち、図１に示したように、トラス１の主梁１ａの上方に、ボルト・ナット２ａによりパネル受け部材２が取り付けられ、パネル受け部材２は、内デッキ３及び外デッキ４との間から嵌め込まれる欄干パネル５を支持するように構成されている。
【００２１】
内デッキ３には、図１に示したように、断面くの字状に折り曲げた板状のブラケット６の上端部がビス３ａにより連結固定され、その板状のブラケット６の下端部は下方に鉛直方向に垂下されている。
【００２２】
パネル受け部材２は、図２及び図３にも示したように、基部２１の上にパネル当て部２２が垂直に並設されて形成されるとともに、このパネル当て部２２に欄干パネル５が嵌め込まれるだけの間隔を隔てて対向するように、垂直壁部２３が、エスカレータの走行方向に沿って並設されている。なお、図２及び図３は、内デッキ３や外デッキ４等を取り外した状態を示した要部断面図である。
【００２３】
また、パネル受け部材２の垂直壁部２３には、図２の平面図及び図３の左側面図にその要部を示したように、垂直方向に垂下したブラケット６の下端部が嵌め込まれるための溝２３ａが形成されている。
【００２４】
従って、垂直壁部２３における溝２３ａの深さ位置を予め設定しておくことにより、ブラケット６の下端位置は、作業員は、その溝２３ａの底部の高さ位置に容易に位置決めすることができる。また、ブラケット６を垂直壁部２３の溝２３ａへの嵌め込み構造としたので、従来用いていたボルト６ａは必要になくなり、部品点数は少なくて済むと同時に組立て工数は削減される。
【００２５】
また、図２及び図３に示したように、パネル受け部材２の垂直壁部２３には、溝２３ａに向けて貫通する押さえボルト２３ｂを取り付けたので、溝２３ａに嵌め込まれたブラケット６の下端部は、押さえボルト２３ｂに押し込まれ固定される。
【００２６】
さらに、図２に示したように、ブラケット６には、支持ボルト６１が螺挿するように取り付けられ、支持ボルト６１の回転による押し込み操作で、押さえ板７の面を外側（図示右方向）に向けて押し出すことができるように取り付けられている。
【００２７】
パネル受け部材２の垂直壁部２３には、従来と同様に、内側（図示左側）から外側（図示右側）に向かって押し込みボルト２４が螺挿されて取り付けられ、押し込みボルト２４のねじ込み操作により、押さえ板７は外側に向けて押し込まれるから、下端部に断面Ｕ字状の緩衝用のゴムパッキン５１を設けた欄干パネル５は、パネル当て部２２との間に挟まれて支持固定される。
【００２８】
そこで、作業員は、押し込みボルト２４による欄干パネル５の支持固定に先立ち、ブラケット６の支持ボルト６１により、押さえ板７を押し込み支持することができる。
【００２９】
このとき、ブラケット６自体は、押さえボルト２３ｂでパネル受け部材２の垂直壁部２３に支持固定されているので、支持ボルト６１に押し込まれた押さえ板７は安定する。
【００３０】
作業員による押し込みボルト２４のねじ込み操作では、欄干パネル５を強固に挟み込もうとするので、回転力により押さえ板７は歪もうとする力が作用するが、支持ボルト６１により支持されているので静止安定する。
【００３１】
また、欄干パネル５も、エスカレータの傾斜方向に複数枚順次つなぎ合わされて嵌め込まれるので、とかくその傾斜方向に常にずれ落ちようとする力が作用しているが、予め支持ボルト６１による押し込み操作で静止させ、仮挟持状態を維持させることができるので、欄干パネル５のずれは回避され、作業員は安心してまた、容易かつ適正に欄干パネル５を支持固定させることができる。
【００３２】
なお、図４はブラケット６及び溝２３ａが設けられたパネル受け部材２の垂直壁部２３の要部を拡大して示したもので、この実施例のブラケット６は、溝２３ａに嵌め込まれる部分の外側面を、他の外側面よりも粗く成形されている。
【００３３】
もちろん、ブラケット６を介して据え付けられた内デッキ３は、たとえ押さえボルト２３ｂによりパネル受け部材２に押さえ付けられているとはいえ、運用時に簡単にはずれてはならないものであり、このように、ブラケット６は、溝２３ａに嵌め込まれる部分の外側面を、他の外側面よりも粗く成形したことで、ブラケット６すなわち、内デッキ３のパネル受け部材２に対する支持固定はより強固なものとなり安定する。
【００３４】
図４に示したこの実施例では、溝２３ａに嵌め込まれるブラケット６の外側面を、他の外側面よりも粗く成形したが、図５に示したように、ブラケット６の溝２３ａに嵌め込まれる部分の外側面に、抜止用のかえし６ｂを形成しても、あるいは図６に示したように、溝２３ａの内側面を、他の面よりも粗く成形しても同様な効果を得ることができる。
【００３５】
また、図７に示したように、パネル受け部材２に設けた溝２３ａの内側面に、ブラケット抜止用のかえし２３ａｂを形成しても良い。
【００３６】
なお、上記実施例の説明では、押さえボルト２３ｂにブラケット６に当接して、ブラケット６を支持させる旨説明したが、例えばブラケット６に押さえボルト２３ｂ貫通用の穴を形成し、押さえボルト２３ｂを貫通させることにより、ブラケット６及び内デッキ３をパネル受け部材２により確実に固定させるようにしても良い。
【図面の簡単な説明】
【００３７】
【図１】本発明によるエスカレータの欄干支持装置の一実施例を示した要部断面図である。
【図２】図１に示した装置の要部平面図である。
【図３】図２に示した装置の要部左側面図である。
【図４】図１に示した装置の要部断面図である。
【図５】図４に示した要部の他の構造例を示した断面図である。
【図６】図４に示した要部の更に他の構造例を示した断面図である。
【図７】図４に示した要部のまた更に他の構造例を示した断面図である。
【図８】従来のエスカレータの欄干支持装置を示した要部断面図である。
【符号の説明】
【００３８】
１  トラス
２  パネル受け部材
２２  パネル当て部
２３  垂直壁部
２３ａ  溝
２３ａｂ  抜止用のかえし
２３ｂ  押さえボルト
２４  押し込みボルト
３  内デッキ
４  外デッキ
５  欄干パネル
６  ブラケット６
６ｂ  抜止用のかえし
６１  支持ボルト
７  押さえ板
【図１】
2007191255.tif 000003
【図２】
2007191255.tif 000004
【図３】
2007191255.tif 000005
【図４】
2007191255.tif 000006
【図５】
2007191255.tif 000007
【図６】
2007191255.tif 000008
【図７】
2007191255.tif 000009
【図８】
2007191255.tif 000010